(57)【特許請求の範囲】
【請求項１】
ポリビニルピロリドンとフラーレンとの複合体および水酸化フラーレンから選ばれる少なくとも１種を含有することを特徴とする生体の過酸化脂質の生成抑制用の浄化剤。
【請求項２】
ポリビニルピロリドンとフラーレンとの複合体および水酸化フラーレンから選ばれる少なくとも１種の含有量が多孔質物質に対して０．１〜３０重量％であることを特徴とする請求項１に記載の生体の過酸化脂質の生成抑制用の浄化剤。
【請求項３】
多孔質物質は、繊維、紙、活性炭、ゼオライト、珪藻土、多孔質樹脂、多孔質ゴム、および多孔質セラミックスのうちの少なくとも１種である請求項２に記載の生体の過酸化脂質の生成抑制用の浄化剤。
【請求項４】
多孔質物質は、水ガラス、多糖類、水溶性高分子、およびポリオール類のうちの少なくとも１種により表面処理されている請求項２または３に記載の生体の過酸化脂質の生成抑制用の浄化剤。
【発明の詳細な説明】
【技術分野】
【０００１】
この出願の発明は生体の過酸化脂質の生成抑制用の浄化剤に関するものである。
【背景技術】
【０００２】
近年、化石燃料の大量消費、産業廃棄物や家庭ごみの大量廃棄などによる生活環境の近代化に伴い、生活空間に存在する微量な硫化水素、亜硫酸ガス、ニコチン、タール、活性酸素、ラジカル、ダイオキシン、花粉や粉塵等の有害物質に対する関心が高まっている。生活空間から、これらの微量の有害物質を除去して快適な生活環境を維持するために、流動体及び固体及び固体物質清浄器などの流動体及び固体及び固体物質の浄化装置や吸着剤、脱臭剤などが要求され、一般の家庭生活にも様々な有害物質吸着剤や分解除去剤等の浄化剤が使用されるようになってきている。これらの有害物質吸着剤、脱臭剤などは日常生活で使用されるものであるから次のような条件を満たすものであることが要求される。
（１）日常の生清空間に存在する微量な硫化水素、亜硫酸ガス、ニコチン、タール、活性酸素、ラジカル等の各種有害物質に対して優れた吸着性や解毒性能を有するものであること。
（２）安全性が高いものであること。
（３）取扱が容易なものであること。
【０００３】
生活環境における有害物質の種類はかなり多いが、その大きな割合を占めるものの一つはタバコの煙等に多量に含まれているラジカル類、特にヒドロキシラジカル等の有害な活性酸素種である。一般的に、浄化剤としては活性炭がよく利用されている。活性炭は無極性吸着剤として極めて優れた吸着性を有する特異な材質で、殆どすべての微量のガス状物質に対して高い吸着性を示す。しかしながら、通常の活性炭では上記有害物質の中で活性酸素種、ラジカル類を十分に除去、解毒化することは困難である。
【０００４】
また、浄化脱臭剤の一種として、硫酸鉄にアスコルビン酸を加えた製品も市販されている。この種のものは初期の有害ガス除去、脱臭性能は良好であるが持続的な能力はなく、直ぐにその能力が失われでしまうという欠点がる。その他にも化学脱臭剤として多数の提案や市販品もあるが、酸性やアルカリ性の強いものが多く、またラジカルに対してはほとんど除去・解毒作用はなく、更に吸湿または乾燥の影響を受け易い欠点を有するものが多い。たとえば、ベントナイトに無機の多塩基酸を吸着したもの（特許文献１）、ビタミンＢ１２の触媒作用によるもの（特許文献２）、金属フタロシアニンを使用するもの（特許文献３）等の他、有機系脱臭剤もあるが、いずれも耐熱性が低かったり、加工が困難で高価であったりして性能、コスト、生産の容易性などを勘案すると有効なものはほとんど見当たらないのが現状である。
また、一般にラジカル物質が生体や細胞に接触すると細胞膜や細胞質中の脂質が過酸化を受け、過酸化物質（過酸化脂質）が生成・増加するといわれている。この過酸化脂質は不安定であり、過酸化脂質ラジカルに変化しやすくこの過酸化脂質ラジカルや他のラジカルが新たな過酸化脂質を作り出すという悪循環が繰り返される。
ここで生み出された過酸化脂質ラジカルやその他のラジカルは、最終的には遺伝子に障害を与えることがあり、その結果として細胞をガン化させることがある。このラジカルが生体にとって危険である理由の一つである。生体の過酸化脂質の増加、ＴＢＡＲＳの測定法、ＴＢＡＲＳの量と発ガンとの関係については以下のような多くの公知文献がある（非特許文献１〜３参照）。
【特許文献１】特開昭６０−４３３７３号公報
【特許文献２】特開昭６１−１６４５５６号公報
【特許文献３】特開昭６２−１３１５１４号公報
【非特許文献１】Kobayashi,Ito, Ogata et al.,Photochemistry and Photobioloy, 64(1), pp224-228,1996
【非特許文献２】Kobayashi, Ito, Ogata et al Photochemistry and Photobioloy,67(6)pp669-675, 1998
【非特許文献３】青柳他、日本家禽会誌３４巻１号ｐ６３−６６．１９９７
【発明の開示】
【発明が解決しようとする課題】
【０００５】
そこで、この出願の発明は、以上のような背景から、人体内で発生する過酸化脂質の生成抑制作用に優れ、かつ安全性が高く取扱も容易で、長期間の間、過酸化脂質の生成を抑制する浄化能力を持続することのできる、新しい浄化剤を提供することを課題としている。
【課題を解決するための手段】
【０００７】
この出願は、上記の課題を解決するものとして、以下の発明を提供する。
[１]  ポリビニルピロリドンとフラーレンとの複合体および水酸化フラーレンから選ばれる少なくとも１種を含有することを特徴とする生体の過酸化脂質の生成抑制用の浄化剤。
[２]  ポリビニルピロリドンとフラーレンとの複合体および水酸化フラーレンから選ばれる少なくとも１種の含有量が多孔質物質に対して０．１〜３０重量％であることを特徴とする上記の生体の過酸化脂質の生成抑制用の浄化剤。
[３]  多孔質物質は、繊維、紙、活性炭、ゼオライト、珪藻土、多孔質樹脂、多孔質ゴム、および多孔質セラミックスのうちの少なくとも１種である上記の生体の過酸化脂質の生成抑制用の浄化剤。
[４]  多孔質物質は、水ガラス、多糖類、水溶性高分子、およびポリオール類のうちの少なくとも１種により表面処理されている上記の生体の過酸化脂質の生成抑制用の浄化剤。
【発明の効果】
【０００９】
この出願の発明の浄化剤は、日常の生活空間に存在する人体に有害なラジカルに対して優れた除去効果を有し、人体内で発生する過酸化物質の除去および生成抑制作用に優れ、かつ安全性が高く取扱も容易で、製造することも容易であり、また安定性に優れているため長期間の間、過酸化物質の除去および生成抑制する浄化能力を持続することができる。
このため、オフィス、車内、家庭等の生活空間におけるフィルター、微小なセル、邪魔板などの種々の形態で流動体および固体物質浄化装置に組み込み使用することができる。
【発明を実施するための最良の形態】
【００１０】
以下この出願の発明について詳しく説明する。
【００１１】
まず、この出願の発明の生体の過酸化脂質の生成抑制用の浄化剤は、上記のとおりポリビニルピロリドンとフラーレンとの複合体および水酸化フラーレンから選ばれる少なくとも１種を含有する。
【００１２】
この出願の発明に使用できるフラーレンとしては、フラーレンＣ６０、フラーレンＣ７０、およびこれらとカーボンナノチューブとの混合物が例示される。
【００１３】
そして、これらのフラーレンやカーボンナノチューブについてはこれまでに公知とされたものを含めて各種の炭素構造をもつものが考慮されてよい。
【００１４】
この出願の発明に使用できる水酸化フラーレンとしては、フラーレンＣ６０、フラーレンＣ７０等の炭素数６０以上のフラーレンに置換基として水酸基を有するものが挙げられる。水酸基の数については一般的には２０以下であることが考慮される。
【００１６】
この出願の発明においては、一般式（１）で表される構造を有するフラーレン類及びその誘導体（その塩を含む）を担持もしくは吸着（多孔質物質に対し、担持でも吸着でも良いので、この出願の発明では「担持・吸着」とした。）させる多孔質物質としては、たとえば活性炭、活性アルミナ、シリカゲル、ゼオライト等の無機多孔質物質、繊維、スポンジ、発泡樹脂などの有機多孔質物質が使用できる。この出願の発明において、浄化剤のための担体として使用される多孔質物質は、通常１ｇあたり１０ｍ2あるいはそれ以上の大きな表面積を有する材料が好ましく使用できる。たとえばその一例としては、活性炭があるが、該活性炭の原料としてヤシ穀、木材等の炭化物あるいは石炭からの活性炭などが使用されるが何れでもよい。また賦活法も水蒸気あるいは二酸化炭素により高温で賦活する方法、あるいは塩化亜鉛、リン酸、濃硫酸等の化学薬品で処理する方法等、多くの方法があるが、この出願の発明の担体としてはそのいづれの方法によって得られたものであってもよい。
【００１７】
また活性炭としての形状は、破砕炭、造粒炭あるいは顆粒炭の何れでも効果は認められるが、圧損失や浄化剤の入替等、取扱いのし易さを考慮すると造粒炭または活性炭を多孔質物質担体に担持もしくは吸着したシート状吸着層が便利である。造粒炭は常法に従って、活性炭材料１００部に３０〜６０部の石油ピッチあるいはコールタール等をバインダーとして加え、混和し、成型後賦活して調製される。なお、活性炭以外の多孔質物質としては、たとえばゼオライト、アルミナ、シリカゲル、軽石、ウレタンフォーム、繊維、紙、布など、多孔質のものであれば広範囲に使用できる。これらの多孔質物質の形状は特に限定しないが、たとえば、粒状、粉末状の他に、繊維状、ハニカム状、シート状、布状、フェルト状あるいは粉末状多孔質物質をウレタンフォーム等に担持・吸着したもの、粉末状多孔質物質をコーティングした紙をコルゲート状にしてハニカム構造として取扱性を改善した流動体及び固体物質浄化用フィルターあるいはカートリッジ（この出願の発明においてはこれらフラーレン及びその誘導体を多孔質物質に担持し、これを成型したものを一括して「流動体及び固体物質浄化用フィルター」という。）が使用できる。
【００１８】
これらの多孔質物質の表面には水ガラス、ヒアルロン酸、澱粉、セルロース等の多糖類、カーボポール、ポリエチレングリコール、プロピレングリコール、ブチレングリコール、ポリアクリル酸等の水溶性高分子等やグリセリンから選択される単体またはその複合物のポリオール類を表面処理しこれらの物質中にこの出願の発明のフラーレン類やその誘導体を含有するとラジカルの反応性が高まりより効率的にラジカル類を消去できる。
【００１９】
多孔質物質に対するフラーレン類及びその誘導体の担持・吸着量は、好ましくは各々０．００１〜５０．０重量％、より好ましくは０．１〜３０重量％てある。担持・吸着量が０．１重量％より少ないとフラーレン類及びその誘導体の有害性物質の吸着・解毒性能が乏しく、また担持・吸着量が５０．０重量％を越えると多孔質物質の吸着性が阻害されるためである。
【００２０】
また、この出願の発明の浄化剤には、ポリビニルピロリドンとフラーレンとの複合体および水酸化フラーレンから選ばれる少なくとも１種以外のラジカルスカベンジング剤を含有させるようにしてもよい。このようなラジカルスカベンジング剤としては、Ｌ−アスコルビン酸−２−リン酸エステルマグネシウム塩、Ｌ−アスコルビン酸−２−リン酸エステルナトリウム塩、Ｌ−アスコルビン酸−２−リン酸エステル亜鉛塩、Ｌ−アスコルビン酸−２−リン酸エステルカルシウム塩、Ｌ−アスコルビン酸−２−リン酸エステルカリウム塩、Ｌ−アスコルビン酸−２−リン酸エステルカリウムカルシウム塩、Ｌ−アスコルビン酸−２−リン酸エステルマグネシウムカリウム塩、Ｌ−アスコルビン酸−２−リン酸エステルアルミニウム塩、Ｌ−アスコルビン酸−２−リン酸エステルチタン塩、Ｌ−アスコルビン酸−２−ジリン酸エステルナトリウム塩、Ｌ−アスコルビン酸−２−トリリン酸エステルナトリウム塩、Ｌ−アスコルビン酸−２−グルコシド、Ｌ−アスコルビン酸−２−リン酸エステル−６−パルミテートマグネシウム塩、Ｌ−アスコルビン酸−２−リン酸エステル−６−パルミテートナトリウム塩、Ｌ−アスコルビン酸−２−グルコシド−６−パルミテート、Ｌ−アスコルビン酸−２−リン酸エステルナトリウムマグネシウム塩、Ｌ−アスコルビン酸−２−硫酸エステルナトリウム塩、Ｌ−アスコルビン酸−３−リン酸エステルマグネシウム塩、Ｌ−アスコルビン酸−３−リン酸エステルナトリウム塩、Ｌ−アスコルビン酸−３−リン酸エステル亜鉛塩、Ｌ−アスコルビン酸−３−リン酸エステルカルシウム塩、Ｌ−アスコルビン酸−３−リン酸エステルカリウム塩、Ｌ−アスコルビン酸−３−リン酸エステルカリウムカルシウム塩、Ｌ−アスコルビン酸−３−リン酸エステルマグネシヴムカリウム塩、Ｌ−アスコルビン酸−３−リン酸エステルアルミニウム塩、Ｌ−アスコルビン酸−３−リン酸エステルチタン塩、Ｌ−アスコルビン酸−３−ジリン酸エステルナトリウム塩、Ｌ−アスコルビン酸−３−トリリン酸エステルナトリウム塩、Ｌ−アスコルビン酸−３−グルコシド、Ｌ−アスコルビン酸−３−リン酸エステル−６−パルミテートマグネシウム塩、Ｌ−アスコルビン酸−３−リン酸エステル−６−パルミテートナトリウム塩、Ｌ−アスコルビン酸−３−グルコシド−６−パルミテート、Ｌ−アスコルビン酸−３−リン酸エステルナトリウムマグネシウム塩、Ｌ−アスコルビン酸−２，３，５，６−テトライソパルイトイル、Ｌ−アスコルビン酸−２，３，５，６−テトラパルイトイル、Ｌ−アスコルビン酸−３−硫酸エステルナトリウム塩、ｄｌ−α−トコフェロール、ｄｌ−α−トコフェロール酢酸エステル、ｄｌ−α−トコフェロールリン酸ナトリウム塩、カリウム塩、マグネシウム塩、カルシウム塩などの金属塩、ｄｌ−α−トコフェロール酢酸エステル、ビタミンＥニコチネート等のビタミンＥ及びその誘導体、ユビキノン、エリソルビン酸、茶抽出物、ポリフェノール類、エトキシキンなどの酸化防止剤、アスタキサンチン等のカロチノイド類、カテキン等のポリフェノール等から選択されるが、中でもカロチン、アスタキサンチン、ルテイン、ｄｌ−α−トコフニロール酢酸エステル、α−トコフェロール、ＳＯＤ、αリポ酸、システイン、グルタチオン、ジブチルヒドロキシトルエン、ブチルヒドロキシアニソール、没食子酸プロピル、キカテキン類またはこれら全てのナトリウム、カリウム、マグネシウム、カルシウム等のアルカリ金属、アルカリ土類金属塩から選択される一種以上の物質等が挙げられる。
【００２１】
一般にラジカル物質が、生体や細胞に接触すると細胞膜や細胞質中の脂質が過酸化を受け、過酸化脂質が生成・増加するといわれている。この過酸化脂質は不安定であり、過酸化脂質ラジカルに変化しやすくこの過酸化脂質ラジカルや他のラジカルが新たな過酸化脂質を作り出すという悪循環が繰り返される。ここで生み出された過酸化脂質ラジカルやその他のラジカルは、最終的には遺伝子に障害を与えることがあり、その結果として細胞をガン化させることがある。このラジカルが生体にとって危険である理由の一つである。生体の過酸化脂質の増加、ＴＢＡＲＳの測定法、ＴＢＡＲＳの量と発ガンとの関係については以下のような多くの公知文献がある（非特許文献１〜３）。
【００２２】
したがって流動体及び固体物質中のラジカルの影響を調べるためには、生物体内の過酸化物の量を測定することにより調べることができ、一般的には流動体及び固体物質の影響を最も受けやすい肺の組織中の過酸化物の量をＴＢＡＲＳの測定によって追跡することができると考えられる。つまり、環境流動体及び固体物質中のラジカルの量が増えれば肺呼吸を行っている生物の肺組織中のＴＢＡＲＳの量を追跡することにより、環境流動体及び固体物質中のラジカルの量を追跡できると考えられる。
【００２３】
多孔質物質に対するこの出願の発明のフラーレン類及びその誘導体以外のラジカルスカベンジング剤の担持・吸着量は、好ましくは各々０．００１〜５０．０重量％、より好ましくは０．１〜３０重量％である。担持・吸着量が０．１重量％より少ないとその効果が乏しく、また担持・吸着量が５０．０重量％を越えると多孔質物質の吸着性が阻害されるため流動体及び固体物質の浄化剤としての有害物質の除去・吸着性能が落ちる。この出願の発明の流動体及び固体物質の浄化剤には、流動体及び固体物質の浄化剤に通常添加される副剤を同時に一つまたは複数添加することもできる。この出願の発明に添加できる副剤とは以下の物があげられるが、通常多孔質材料に対し０．０００１〜５０重量％の割合で添加することができる。
【００２４】
この出願の発明で使用できる副剤としては、たとえば、のり、メチルセルロース、接着樹脂などの接着剤、エリソルビンサンなどの安定剤、バラベン、イソフタロニトリル誘導体などの抗菌剤、水ガラス、ポリアクリル酸ソーダなどのバインダー、シリカ、珪藻土などの増量剤、青色６号などの着色剤、次亜塩素酸ソーダなどの脱色剤、ＳＤＳなどの界面活性剤、グリセリンなどの保湿剤などである。
【００２５】
この出願の発明の生体の過酸化脂質の生成抑制用の浄化剤を調製するには、ポリビニルピロリドンとフラーレンとの複合体および水酸化フラーレンから選ばれる少なくとも１種と必要に応じてその他のラジカルスカベンジング剤とを予め多孔質物質に所定量担持もしくは吸着しておき、その後所定量の副剤を担持・吸着するのがよい。具体的にはポリビニルピロリドンとフラーレンとの複合体および水酸化フラーレンから選ばれる少なくとも１種を吸着法や振りかけ法で多孔体に担持・吸着させ、その後これに副剤を振りかけて所定量担持・吸着した後、これを１００℃以上の温度で乾燥して調製できる。これらの流動体及び固体物質の浄化剤単独でまたはこれに新しい活性炭を混合することにより、この出願の発明の浄化剤が得られる。いずれの方法によってポリビニルピロリドンとフラーレンとの複合体および水酸化フラーレンから選ばれる少なくとも１種を多孔質物質に担持・吸着した浄化剤も、ラジカル物質に対して充分な除去・吸着性能を示す。この浄化剤を１２０℃にまで加熱しても、ポリビニルピロリドンとフラーレンとの複合体および水酸化フラーレンの分解はみられず、ラジカルの除去・吸着性能の低下も認められなかった。
【００２７】
オフィス、家庭等生活空間の室内では、タバコを吸う人がいる時にはラジカルが多い傾向にあるが、それ以外にも室内の流動体及び固体物質中に含まれている有害物質としてはラジカルの他、アンモニア、ホルマリン等がある。この出願の発明の流動体及び固体物質の浄化剤には一般式（１）で表される構造を有するフラーレン及びその誘導体やラジカルスカベンジング剤を担持・吸着した多孔質物質の他に、これに活性炭を混合した流動体及び固体物質の浄化剤とすることもできるため、有害成分のアンモニア、ホルマリン、炭化水素、硫化水素等の成分に対する吸着・除去も可能であり、流動体及び固体物質の浄化剤として優れた機能を持っている。この出願の発明の流動体及び固体物質の浄化剤はオフィス、車内、家庭等の生活空間に含まれている殆ど全ての有害物質の除去・吸着性に優れ、また吸着速度も早いため、フィルター、微小なセル、邪魔板などの流動体及び固体物質浄化用フィルターとして、種々な形態で流動体及び固体物質浄化装置に組み込み、流動体及び固体物質浄化に使用することができる。また、これらの流動体及び固体物質浄化用フィルターは、当然据え置きタイプ、カートリッジ式等あらゆる流動体及び固体物質浄化用フィルターに応用可能であり、これらの流動体及び固体物質浄化用フィルターを内蔵したエアコン、流動体及び固体物質浄化機、ドラフト、換気扇等に応用することができる。
【００２８】
この出願の発明では、以上のことから、上記の浄化剤、これを用いた浄化フィルター、そして浄化パネル等を用いての配送用の装置、機器またはそれらの部材が提供されることになる。たとえば、これらの装置、機器、部材としては、プロペラ、扇風機、送風機、ドライヤー、配送ダクト、パイプ、煙突、ノズル、蛇口、サイクロン、エアコン、ダンパー、バルブ、ポンプ等が例示される。
【００２９】
そこで以下に実施例を示し、さらに詳しく説明する。もちろん以下の例によって発明が限定されることはない。
【実施例】
【００３０】
（フィルターＡの製造）
５０ｃｃの精製水に、ミックスフラーレン（Ｃ６０を６０％重量以上、Ｃ７０を１０％以上含有する混合物）をＰＶＰ（ポリビニルピロリドン）９９％重量に対して１％重量の割合で分散させたもの（以下ＭＦという）３％を溶解する。次に４０ｃｍ×４０ｃｍの不織布にＭＦの３％溶液５０ｃｃを均一に噴霧し、同様にして同じ物を３枚作り、これを乾燥後、三枚重ねにする。市販エアコンの交換用フィルターを取り出し既についている不織布をはずし、上記で作成したＭＦ含有不織布を均一に貼りつけ、これをフィルターとした。これをエアコンに取り付け、この出願の発明の生体の過酸化脂質の生成抑制用の浄化剤のフィルター付エアコンとした。
【００３１】
（フィルターＢの製造）
５０ｃｃの精製水に、ＭＦ３％及びラジカルスカベンジング剤としてｄｌ−α−トコフェロールリン酸ナトリウム１％とエピガロカテキンガレート０．０１％及び副剤の保湿剤としてグリセリン１％を溶解する。次に４０ｃｍ×４０ｃｍの不織布にＭＦなどの溶液５０ｃｃを均一に噴霧し、同様にして同じ物を３枚作り、これを乾燥後、三枚重ねにする。市販エアコンの交換用フィルターを取り出し既についている不織布をはずし、上記で作成したＭＦ含有不織布を均一に貼りつけ、これをフィルターとした。これをエアコンに取り付け、この出願の発明の生体の過酸化脂質の生成抑制用の浄化剤のフィルター付エアコンとした。
【００３２】
（実施例１）ウェスター系ラット雄３０匹を１０匹ずつ２対照区（１区及び２区）と２試験区（３区及び４区）の４群に分け、そのゲージはそれぞれ別々に三菱電機（株）製エアコン（商品名：「霧が峰」）が設置された縦３．５ｍ×横２．８ｍ×高さ３．１ｍの室内に置かれた。エアコンのフィルターとして、試験区３区には上記のように製造されたフィルターＡを取り付け、試験区４区には上記のように製造されたフィルターＢを取りつけた。２つの対照区（１区及び２区）にはＭＦが担持・吸着されていない同型のフィルターを取り付けた。このエアコンで送風のみを行い、１週間に亙って連続運転した。この間対照区１区、試験区３区及び試験区４区には一日当たり２０本の喫煙を成人男性がこの室内に入って行った。対照区２区のみ契煙を行わなかった。毎日１回エアコンフィルターを同じ物と交換し、ラットの餌、水は自由給餌させた。１週間後ラットの肺を取り出しMasugi and Nakamuraの方法により肺のＴＢＡＲＳ（過酸化物価）を測定しその平均値を求めた。その結果を以下の表１に示す。
【００３３】
【表１】
0004827384.tif 000002
表１の結果からもわかるように、対照区１区のラットの肺の発ガン促進物質の一つであるといわれるＴＢＡＲＳは喫煙処理（対照区１区）により喫煙処理無しの対照区２に比較し有意に上昇した。しかしこの出願の発明のＭＦを担持・吸着処理をしたフィルターを取り付けた試験区３区及びＭＦとそれ以外のラジカルスカベンジング剤を担持・吸着処理をしたフィルターを使用した試験区４区では、ＭＦを噴霧したフィルターを取り付けなかった対照区１区に比べ喫煙処理を行ったにもかかわらず肺のＴＢＲＳは有意に減少し、対照区２区と有意な差が認められないレベルまで低下した。以上の結果よりこの出願の発明の浄化剤のフィルターは、喫煙により発生したラジカルを吸着・無害化し、流動体及び固体物質中のラジカルが低下することにより発ガン促進物質の一つであるラットの肺のＴＢＡＲＳ（過酸化脂質）が低下することが確認された。
（実施例２）
実施例１のＭＦ３％水溶液をチューブの内面に１ｇ／１０平方センチの密度でスプレー、乾燥させラジカルスカベンジング用流動体及び固体チューブとした。
（実施例３）
実施例１のＭＦ３％水溶液をダクトの内面に１ｇ／10平方センチの密度でスプレー、乾燥させラジカルスカベンジング用流動体及び固体ダクトとした。
（実施例４）
実施例１のＭＦ３％水溶液をプロペラの両面に１ｇ／１０平方センチの密度でスプレして乾燥させラジカルスカベンジング用流動体及び固体プロペラとした。
（実施例５）
実施例１のＭＦを水ガラスに３％重量濃度で均一に分散させこれを焼却炉煙突の内側に１ｇ／１０平方センチの密度でコーティングしてラジカルスカベンジング用排煙煙突とした。
（実施例６）
実施例１のＭＦを水ガラスに３％重量濃度で均一に分散させこれを直径５ｍｍ、長さ２０ｃｍのステンレス製細間パイプの内側に０．１ｇ／１０平方センチの密度でコーティングしこれを５０本束ねてステンレスパイプに納めラジカルスカベンジング用水道管用フィルターとした。
（実施例７）
実施例１のＭＦを水ガラスに３％重量濃度で均一に分散させこれを流動体及び固体噴出ノズルの内側に１ｇ／１０平方センチの密度でコーティングしてラジカルスカベンジング用流動体及び固体噴出ノズルとした。
（実施例８）
実施例１のＭＦを水ガラスに３％重量濃度で均一に分散させこれを熱交換パネルの表面に１ｇ／10平方センチの密度でコーティングしてラジカルスカベンジング用熱交換パネルとした。
（実施例９）
実施例１のＭＦを水ガラスに３％重量濃度で均一に分散させこれをシャワーノズルの内側に１ｇ／１０平方センチの密度でコーティングしてラジカルスカベンジング用シャワーノズルとした。
（実施例１０）
実施例９において、ＭＦに代えて、水酸化フラーレンＣ６０（平均分子量９５８．７／粉体（水溶性固体）、水酸化率１４ＯＨ基／molecule）を用いてコーティングしてラジカルスカンベンジング用シャワーノズルとした。
（実施例１１）
実施例６において、実施例９で用いた水酸化フラーレンでコーティングし、水道管用フィルターとした。